(57)【要約】【課題】データブロック大きさの組み合わせ情報を内部的に構成し、前記内部的に構成される組み合わせ情報を用いて効果的に前記データブロックを送受信する方法を提供する。【解決手段】無線通信システムで下位階層チャネルにマッピングされる多数の上位階層チャネルを通して各データブロックを受信する方法において、ネットワークからデータブロック大きさ組み合わせ集合パラメータを含むメッセージを受信する段階と；前記メッセージにデータブロック大きさ組み合わせ集合パラメータが含まれていない場合、データブロック大きさ組み合わせ集合のデフォルトを定義する段階と；前記各ブロック大きさ組み合わせのうち一つを用いて前記下位階層チャネルを受信する段階と；を含んでデータブロック受信方法を構成する。【選択図】図１
2008527783.tif 000002
【特許請求の範囲】
【請求項１】
無線通信システムで、下位階層チャネルにマッピングされる多数の上位階層チャネルを通して各データブロックを受信する方法において、
ネットワークからデータブロック大きさ組み合わせ集合パラメータを含むメッセージを受信する段階と；
前記メッセージにデータブロック大きさ組み合わせ集合パラメータが含まれていない場合、データブロック大きさ組み合わせ集合のデフォルトを定義する段階と；
前記各データブロック大きさ組み合わせのうち一つを用いて前記下位階層チャネルを受信する段階と；を含むことを特徴とする、データブロック受信方法。
【請求項２】
前記各データブロック大きさ組み合わせの一つ一つは、データブロックを伴う前記多数の上位階層チャネルのうち一つと結合されたことを特徴とする、請求項１に記載のデータブロック受信方法。
【請求項３】
前記メッセージに前記データブロック大きさ組み合わせ集合パラメータが含まれている場合、各データブロック大きさ組み合わせの第２集合を定義する段階をさらに含むことを特徴とする、請求項１に記載のデータブロック受信方法。
【請求項４】
前記多数の上位階層チャネルは、データトラフィック伝送のために最初に用いられることを特徴とする、請求項１に記載のデータブロック受信方法。
【請求項５】
前記多数の上位階層チャネルのそれぞれに対するデータブロック大きさ情報を受信する段階をさらに含むことを特徴とする、請求項１に記載のデータブロック受信方法。
【請求項６】
前記データブロック大きさ組み合わせ集合を定義する前記ネットワークから、前記多数の上位階層チャネルの個数を受信する段階をさらに含むことを特徴とする、請求項５に記載のデータブロック受信方法。
【請求項７】
前記データブロック大きさ組み合わせ集合は、前記データブロック大きさ情報を用いて定義されることを特徴とする、請求項５に記載のデータブロック受信方法。
【請求項８】
前記データブロック大きさ組み合わせ集合は、前記多数の上位階層チャネルの前記個数を用いてさらに定義されることを特徴とする、請求項６に記載のデータブロック受信方法。
【請求項９】
前記データブロックは伝送ブロックを含み、前記データブロック大きさ組み合わせは伝送フォーマット組み合わせを含み、前記データブロック大きさ組み合わせ集合は伝送フォーマット組み合わせ集合を含むことを特徴とする、請求項１に記載のデータブロック受信方法。
【請求項１０】
前記多数の上位階層チャネルは、各伝送チャネルを含むことを特徴とする、請求項１に記載のデータブロック受信方法。
【請求項１１】
前記下位階層チャネルは、物理チャネルを含むことを特徴とする、請求項１に記載のデータブロック受信方法。
【請求項１２】
前記各データブロックは、ポイント・ツー・マルチポイント（ｐｏｉｎｔ−ｔｏ−ｍｕｌｔｉｐｏｉｎｔ）サービスデータを含む多数の上位階層を通して提供されることを特徴とする、請求項１に記載のデータブロック受信方法。
【請求項１３】
前記データブロック大きさ組み合わせの一つを用いて前記下位階層チャネルを受信する段階は、前記ネットワークからデータブロック大きさ組み合わせ指示子を受信する段階をさらに含むことを特徴とする、請求項１に記載のデータブロック受信方法。
【請求項１４】
前記下位階層チャネルは、前記データブロック大きさ組み合わせ指示子によって前記各データブロック大きさ組み合わせの一つを用いて復号化されることを特徴とする、請求項１３に記載のデータブロック受信方法。
【請求項１５】
無線通信システムでポイント・ツー・マルチポイントサービス制御情報を伝送する方法は、
使用者機器でポイント・ツー・マルチポイントサービスのために用いる各データブロック大きさ組み合わせ集合のデフォルトを定義する段階と；
前記各データブロック大きさ組み合わせ集合のデフォルトを前記使用者機器に提供する段階と；
前記使用者機器がポイント・ツー・マルチポイントサービス制御情報を受信できるように、ネットワークからデータブロック大きさ組み合わせ指示子を前記使用者機器に伝送する段階と；を含み、
前記各データブロック大きさ組み合わせ集合のデフォルトの一つ一つは、各伝送チャネルの伝送フォーマットと関連したことを特徴とし、
前記ポイント・ツー・マルチポイントサービス制御情報の前記伝送フォーマットは、受信された前記データブロック組み合わせ指示子と、前記各データブロック大きさ組み合わせ集合のデフォルトとを結合することで決定されることを特徴とする、データ伝送方法。
【請求項１６】
前記各データブロック大きさ組み合わせの一つ一つは、データブロックを伴う前記多数の上位階層のうち一つのみと結合されることを特徴とする、請求項１５に記載のデータ伝送方法。
【請求項１７】
多数の上位階層チャネルは、優先的にデータトラフィック伝送に用いられることを特徴とする、請求項１５に記載のデータ伝送方法。
【請求項１８】
前記多数の上位階層チャネルのそれぞれにデータブロック大きさ情報を伝送する段階をさらに含むことを特徴とする、請求項１７に記載のデータ伝送方法。
【請求項１９】
前記各データブロック大きさ組み合わせ集合のデフォルトは、前記データブロック大きさ情報を用いて定義されることを特徴とする、請求項１に記載のデータ伝送方法。
【請求項２０】
前記各データブロック大きさ組み合わせ集合のデフォルトは、前記多数の上位階層チャネルの前記個数を用いてさらに定義されることを特徴とする、請求項１に記載のデータ伝送方法。
【請求項２１】
無線通信システムで、一つの下位階層チャネルにマッピングされる多数の上位階層チャネルを通して各データブロックを受信するための移動端末において、
無線信号を受信するためのアンテナと；
前記アンテナに連結され、前記アンテナから前記無線信号を処理するために構成された無線周波数ユニットと；
前記無線周波数ユニットに機能的に連結され、ネットワークからデータブロック大きさ組み合わせ集合パラメータを含むメッセージを受信するために構成され、前記メッセージにデータブロック大きさ組み合わせ集合パラメータが含まれていない場合、データブロック大きさ組み合わせ集合のデフォルトを定義し、前記データブロック大きさ組み合わせの一つを用いて前記下位階層チャネルを受信するために構成されたプロセッサユニットと；を含むことを特徴とする、移動端末。
【請求項２２】
前記各データブロック大きさ組み合わせの一つ一つは、データブロックを伴う前記多数の上位階層チャネルの一つと結合されたことを特徴とする、請求項２１に記載の移動端末。
【請求項２３】
前記プロセッサユニットは、前記メッセージに前記データブロック大きさ組み合わせ集合パラメータが含まれている場合、前記各データブロック大きさ組み合わせの第２集合を定義するための構成をさらに含むことを特徴とする、請求項２１に記載の移動端末。
【請求項２４】
前記多数の上位階層チャネルは、データトラフィック伝送のために最初に用いられることを特徴とする、請求項２１に記載の移動端末。
【請求項２５】
前記プロセッサユニットは、前記各上位階層チャネルのそれぞれに対するデータブロック大きさ情報を受信するための構成をさらに含むことを特徴とする、請求項２１に記載の移動端末。
【請求項２６】
前記プロセッサユニットは、前記ネットワークから前記データブロック大きさ組み合わせ集合を定義する前記多数の上位階層チャネルの個数を受信するための構成をさらに含むことを特徴とする、請求項２５に記載の移動端末。
【請求項２７】
前記データブロック大きさ組み合わせ集合は、前記データブロック大きさ情報を用いて定義されることを特徴とする、請求項２５に記載の移動端末。
【請求項２８】
前記データブロック大きさ組み合わせ集合は、前記多数の上位階層チャネルの前記個数を用いてさらに定義されることを特徴とする、請求項２６に記載の移動端末。
【請求項２９】
前記データブロックは伝送ブロックを含み、前記データブロック大きさ組み合わせは伝送フォーマット組み合わせを含み、前記データブロック大きさ組み合わせ集合は伝送フォーマット組み合わせ集合を含むことを特徴とする、請求項２１に記載の移動端末。
【請求項３０】
前記多数の上位階層チャネルは、各伝送チャネルを含むことを特徴とする、請求項２１に記載の移動端末。
【請求項３１】
前記下位階層チャネルは、物理チャネルを含むことを特徴とする、請求項２１に記載の移動端末。
【請求項３２】
前記各データブロックは、ポイント・ツー・マルチポイントサービスデータを含む多数の上位階層チャネルを通して提供されることを特徴とする、請求項２１に記載の移動端末。
【請求項３３】
前記プロセッサユニットは、前記ネットワークからデータブロック大きさ組み合わせ指示子を受信するための構成をさらに含むことを特徴とする、請求項２１に記載の移動端末。
【請求項３４】
前記下位階層チャネルは、前記データブロック大きさ組み合わせ指示子によって前記各データブロック大きさ組み合わせの一つを用いて復号化されることを特徴とする、請求項３３に記載のデータブロック受信方法。
【発明の詳細な説明】
【技術分野】
【０００１】
本発明は、無線通信システムに関するもので、特に、前記データブロックの組み合わせ情報を構成し、前記組み合わせ情報を用いて前記データブロックを送受信する方法に関するものである。
【背景技術】
【０００２】
図１は、ＵＭＴＳ（Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ）の網構造に対するブロックダイアグラムである。図１に示すように、ＵＭＴＳシステムは、使用者機器（以下、ＵＥという。）、ＵＭＴＳ無線接続網（以下、ＵＴＲＡＮという。）、核心網（ＣＮ）からなる。ＵＥは、移動端末または加入者ユニットとして知られている。
【０００３】
ＵＴＲＡＮは、少なくとも一つの無線網副システム（Ｒａｄｉｏ  Ｎｅｔｗｏｒｋ  Ｓｕｂ−Ｓｙｓｔｅｍ；以下、ＲＮＳという。）を含む。また、前記ＲＮＳは、一つの無線網制御器（Ｒａｄｉｏ  ｎｅｔｗｏｒｋ  ｃｏｎｔｒｏｌｌｅｒ；以下、ＲＮＣという。）、及び前記ＲＮＣによって管理される少なくとも一つの基地局（以下、ｎｏｄｅ−Ｂという。）を含む。また、一つのＮｏｄｅ−Ｂには、少なくとも一つ以上のセルが存在する。
【０００４】
図２は、一つのＵＥとＵＴＲＡＮとの間の無線インターフェースプロトコルの階層構造を示すダイアグラムである。図２に示すように、無線インターフェースプロトコルは、垂直的には物理階層、データリンク階層及びネットワーク階層を含み、水平的にはデータ伝送のための使用者平面（Ｕ−ｐｌａｎｅ）及び制御信号伝達のための制御平面（Ｃ−ｐｌａｎｅ）を含む。
【０００５】
図２において、前記プロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ：ＯＳＩ）基準モデルの下位３個の階層によると、第１階層Ｌ１、第２階層Ｌ２及び第３階層Ｌ３からなる。
【０００６】
以下、図２に示した各階層を説明する。第１階層としての物理階層（以下、ＰＨＹ階層という。）は、物理チャネルを用いて上位階層に情報伝送サービスを提供する。前記ＰＨＹ階層は、前記ＰＨＹ階層の上位階層である媒体接続制御階層（以下、ＭＡＣ階層という）に連結される。前記データは、伝送チャネルを通して前記ＭＡＣ階層とＰＨＹ階層との間で伝送される。さらに、前記データは、前記物理チャネルを通して伝送側のＰＨＹ階層から受信側の他のＰＨＹ階層に伝送される。
【０００７】
前記第２階層の前記ＭＡＣ階層は、論理チャネルを通して前記ＭＡＣ階層の上位階層である無線リンク制御（以下、ＲＬＣという。）階層に情報を伝達する。前記第２階層の前記ＲＬＣ階層は、信頼性のあるデータ伝送を支援し、上位階層から受信したＲＬＣサービスデータユニットの分割及び結合機能を行う。以下、前記サービスデータユニットをＳＤＵと略称する。
【０００８】
第３階層の最下位部分に位置した無線資源制御（Ｒａｄｉｏ  Ｒｅｓｏｕｒｃｅ  Ｃｏｎｔｒｏｌ：以下、ＲＲＣという。）階層は、前記制御平面のみで定義され、無線ベアラー（Ｒａｄｉｏ  Ｂｅａｒｅｒ；以下、ＲＢという。）の設定、再設定及び解除と関連し、論理チャネル、伝送チャネル及び物理チャネルの制御を担当する。この場合、前記ＲＢは、前記ＵＥと前記ＵＴＲＡＮとの間で前記データを伝達するために、第２階層によって提供されるサービスを意味する。一般的に、ＲＢの設定は、特定サービスの提供、それらの特定パラメータ及び動作方法を設定するために必要なプロトコル階層及び各チャネルの性格を定義することを意味する。
【０００９】
マルチメディア放送及びマルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ；以下、ＭＢＭＳという。）は、ダウンリンクＭＢＭＳベアラーサービスを用いる多数の端末にストリーミングまたはバックラウンドサービスを提供する。一つのＭＢＭＳは、少なくとも一つのセッションを含み、ＭＢＭＳデータは、セッションが進行中の間のみにＭＢＭＳベアラーサービスを通して前記多数の端末に伝送される。
【００１０】
ＵＴＲＡＮは、無線ベアラーを用いてＵＥにＭＢＭＳベアラーサービスを提供する。前記ＵＴＲＡＮによって用いられるＲＢのタイプとしては、ポイント・ツー・ポイント（ｐｏｉｎｔ―ｔｏ―ｐｏｉｎｔ）無線ベアラー及びポイント・ツー・マルチポイント（ｐｏｉｎｔ―ｔｏ―ｍｕｌｔｉｐｏｉｎｔ）無線ベアラーがある。この場合、前記ポイント・ツー・ポイント無線ベアラーは、両方向無線ベアラーであり、論理チャネルＤＴＣＨ（Ｄｅｄｉｃａｔｅｄ  Ｔｒａｆｆｉｃ  Ｃｈａｎｎｅｌ）、伝送チャネルＤＣＨ（Ｄｅｄｉｃａｔｅ  Ｃｈａｎｎｅｌ）、及び物理チャネルＤＰＣＨ（Ｄｅｄｉｃａｔｅｄ  Ｐｈｙｓｉｃａｌ  Ｃｈａｎｎｅｌ）または物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。前記ポイント・ツー・マルチポイント無線ベアラーは、単方向ダウンリンク無線ベアラーである。
【００１１】
図３は、ＭＢＭＳのためのチャネルマッピングの一実施例を示した説明図である。図３に示すように、ポイント・ツー・マルチポイント無線ベアラーは、論理チャネルＭＴＣＨ（ＭＢＭＳ  Ｔｒａｆｆｉｃ  Ｃｈａｎｎｅｌ）、伝送チャネルＦＡＣＨ（Ｆｏｒｗａｒｄ  Ａｃｃｅｓｓ  Ｃｈａｎｎｅｌ）、及び物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）から構成される。論理チャネルＭＴＣＨは、一つのセルに提供される一つのＭＢＭＳサービスごとに設定され、特定ＭＢＭＳサービスの使用者平面データを複数のＵＥに伝送するために用いられるチャネルである。
【００１２】
図３に示すように、論理チャネルＭＣＣＨ（ＭＢＭＳ  Ｃｏｎｔｒｏｌ  Ｃｈａｎｎｅｌ）は、ポイント・ツー・マルチポイントダウンリンクチャネルとして、ＭＢＭＳと関連した制御情報を伝送するために用いられる。論理チャネルＭＣＣＨは、伝送チャネルＦＡＣＨ（Ｆｏｒｗａｒｄ  Ａｃｃｅｓｓ  Ｃｈａｎｎｅｌ）にマッピングされ、伝送チャネルＦＡＣＨは、物理チャネルＳＣＣＰＣＨにマッピングされる。一つのセルには、一つのＭＣＣＨのみが存在する。
【００１３】
前記ＵＴＲＡＮは、前記ＭＣＣＨチャネルを通して多数のＵＥにＭＣＣＨ情報を伝達するＭＢＭＳを提供する。ＭＣＣＨ情報は、前記ＭＢＭＳと関連した通知メッセージ、すなわち、前記ＭＢＭＳ情報と関連したＲＲＣメッセージを含む。例えば、前記ＭＣＣＨ情報は、ＭＢＭＳサービス情報を通知するメッセージ、ポイント・ツー・マルチポイント無線ベアラー情報を通知するメッセージ、特定ＭＢＭＳサービスのためにＲＲＣ連結が要請されることを知らせるアクセス情報などを含む。
【発明の開示】
【発明が解決しようとする課題】
【００１４】
本発明は、上記のような従来技術の制限及び不利な点による一つ以上の問題点を実質的に解決するためになされたもので、データブロックの送受信に関するものである。
【００１５】
本発明の目的は、データブロック大きさの組み合わせ情報を内部的に構成し、前記内部的に構成される組み合わせ情報を用いて効果的に前記データブロックを送受信する方法を提供することにある。
【００１６】
本発明の追加的な長所、目的及び特徴は、以下の詳細な説明を通して展開されており、以下の詳細な説明に基づいて前記技術分野の通常の技術を有する者にとって明らかになるか、または、発明の実施から理解することができる。本発明の目的及び長所は、添付の図面のみならず、詳細な説明及び特許請求の範囲を通して詳細に指摘された構成によって得られるとともに、具体化されるはずである。
【課題を解決するための手段】
【００１７】
前記利点及び他の利点を得るために、そして、本発明の目的によって具体化されて概略的に説明されたように、無線通信システムで下位階層チャネルにマッピングされる多数の上位階層チャネルを通して各データブロックを受信する方法において、本発明は、ネットワークからデータブロック大きさ組み合わせ集合パラメータを含むメッセージを受信する段階と；前記メッセージにデータブロック大きさ組み合わせ集合パラメータが含まれていない場合、データブロック大きさ組み合わせ集合のデフォルトを定義する段階と；前記各データブロック大きさ組み合わせのうち一つを用いて前記下位階層チャネルを受信する段階と；を含む。前記各データブロック大きさ組み合わせの一つ一つは、データブロックを伴う前記多数の上位階層チャネルのうち一つと結合される。前記方法は、前記メッセージに前記データブロック大きさ組み合わせ集合パラメータが含まれている場合、各データブロック大きさ組み合わせの第２集合を定義する段階をさらに含む。また、前記多数の上位階層チャネルは、データトラフィック伝送のために最初に用いられる。また、  前記多数の上位階層チャネルは、各伝送チャネルを含み、前記下位階層チャネルは、物理チャネルを含む。前記各データブロックは、ポイント・ツー・マルチポイントサービスデータを含む多数の上位階層チャネルを通して提供される。
【００１８】
本発明の一側面によると、前記方法は、前記多数の上位階層チャネルのそれぞれに対するデータブロック大きさ情報をそれぞれ受信する段階をさらに含み、前記データブロック大きさ組み合わせ集合を定義する前記ネットワークから、前記多数の上位階層チャネルの個数を受信する段階をさらに含む。前記データブロック大きさ組み合わせ集合は、前記データブロック大きさ情報を用いて定義されることが好ましい。前記データブロック大きさ組み合わせ集合は、前記多数の上位階層チャネルの前記個数を用いてさらに定義される。
【００１９】
本発明の他の側面によると、前記データブロックは伝送ブロックを含み、前記データブロック大きさ組み合わせは伝送フォーマット組み合わせを含み、前記データブロック大きさ組み合わせ集合は伝送フォーマット組み合わせ集合を含む。
【００２０】
本発明の他の側面によると、前記データブロック大きさ組み合わせの一つを用いて前記下位階層チャネルを受信する段階は、前記ネットワークからデータブロック大きさ組み合わせ指示子を受信する段階をさらに含む。前記下位階層チャネルは、前記データブロック大きさ組み合わせ指示子によって前記各データブロック大きさ組み合わせの一つを用いて復号化されることが好ましい。
【００２１】
本発明の他の実施例によると、無線通信システムでポイント・ツー・マルチポイントサービス制御情報を伝送する方法は、使用者機器でポイント・ツー・マルチポイントサービスのために用いる各データブロック大きさ組み合わせ集合のデフォルトを定義する段階と；前記各データブロック大きさ組み合わせ集合のデフォルトを前記使用者機器に提供する段階と；前記使用者機器がポイント・ツー・マルチポイントサービス制御情報を受信できるように、ネットワークからデータブロック大きさ組み合わせ指示子を前記使用者機器に伝送する段階と；を含み、前記各データブロック大きさ組み合わせ集合のデフォルトの一つ一つは、各伝送チャネルの伝送フォーマットとそれぞれ関連したことを特徴とし、前記ポイント・ツー・マルチポイントサービス制御情報の前記伝送フォーマットは、受信された前記データブロック組み合わせ指示子と、前記各データブロック大きさ組み合わせ集合のデフォルトとを結合することで決定されることを特徴とする。
【００２２】
本発明の更に他の実施例によると、無線通信システムで一つの下位階層チャネルにマッピングされる多数の上位階層チャネルを通してデータブロックを受信するための移動端末は、無線信号を受信するためのアンテナと；前記アンテナに連結され、前記アンテナから前記無線信号を処理するために構成された無線周波数ユニットと；前記無線周波数ユニットに機能的に連結され、ネットワークからデータブロック大きさ組み合わせ集合パラメータを含むメッセージを受信するために構成され、前記メッセージにデータブロック大きさ組み合わせ集合パラメータが含まれていない場合、データブロック大きさ組み合わせ集合のデフォルトを定義し、前記データブロック大きさ組み合わせのうち一つを用いて前記下位階層チャネルを受信するために構成されたプロセッサユニットと；を含む。
【００２３】
上述した点と、本発明の他の目的、特徴、様相及び長所は、添付の図面及び以下の本発明の詳細な説明によって一層明確になるだろう。上述した一般的な説明及び以下の本発明の詳細な説明は、例示的で説明的なものであり、請求された発明に対する追加的な説明を提供する。
【産業上の利用可能性】
【００２４】
本発明は、移動通信システムに適用することができる。
【発明を実施するための最良の形態】
【００２５】
添付の図面に示した参照は、本発明の好適な実施例によって具体化される。図中、同一の参照番号は、同一部分または類似した部分を示している。
【００２６】
図４は、ＭＣＣＨ情報の伝送方法を説明するためのダイアグラムである。図４に示すように、前記ＭＣＣＨ情報は、変更周期（Ｍｏｄｉｆｉｃａｔｉｏｎ  ｐｅｒｉｏｄ）及び反復周期（Ｒｅｐｅｔｉｔｉｏｎ  ｐｅｒｉｏｄ）によって周期的に伝送される。前記ＭＣＣＨ情報は、重要情報及び非重要情報を含む。前記非重要情報は、変更周期または反復周期ごとに変更される。前記重要情報の変更は、変更周期ごとのみに可能である。前記重要情報は、反復周期ごとに伝送される。前記変更された重要情報は、前記変更周期の開始地点で伝送されることが好ましい。
【００２７】
少なくとも二つの隣接セルがＭＴＣＨを通して前記同一のＭＢＭＳ情報を伝送する場合、ＵＥは、前記各セルから伝送された前記ＭＴＣＨを受信し、ダイバーシティ利得を得るために前記受信されたＭＴＣＨのソフト結合を行う。この場合、同一の時間区間における前記各セルからの前記各伝送ブロックは、互いに同一でなければならない。また、前記ＵＥが前記ソフト結合を容易に行えるように、ＵＴＲＡＮは、一つの伝送時間区間（Ｔｒａｎｓｍｉｓｓｉｏｎ  Ｔｉｍｅ  Ｉｎｔｅｒｖａｌ；以下、ＴＴＩという。）の間、一つの伝送チャネルを通して伝送ブロックを伝送する。
【００２８】
本発明の一実施例において、一つの伝送ブロックは、一つのＴＴＩの間に一つの伝送チャネルを通して伝送される。伝送されるべき伝送ブロックが存在する場合、送信側のＭＡＣ階層は、一つのＴＴＩ単位の間、ＰＨＹ階層に少なくとも一つ以上の伝送ブロックを伝送する。そして、伝送側のＰＨＹ階層は、前記ＭＡＣ階層から受信した少なくとも一つ以上の伝送ブロックを符号化し、前記符号化された伝送ブロックを受信側のＰＨＹ階層に伝送する。
【００２９】
前記受信側のＰＨＹ階層が前記符号化されたデータを正確に復号化することを助けるために、前記送信側は、伝送フォーマット（Ｔｒａｎｓｐｏｒｔ  Ｆｏｒｍａｔ；以下、ＴＦという。）情報を前記符号化されたデータと一緒に前記受信側に伝送する。前記伝送側から前記ＴＦ情報を受信した後、前記受信側のＰＨＹ階層は、前記各伝送ブロックを再構成するために、前記ＴＦを用いて前記受信されたデータを復号化する。前記再構成された各伝送ブロックは、ＴＴＩ区間の間に受信側のＭＡＣ階層に伝送される。
【００３０】
前記ＴＦ情報は、一つの伝送チャネルに関する多様な属性を含んでいる。前記ＴＦ情報の属性は、半静的属性及び動的属性に分類される。前記半静的属性は、前記ＴＦ情報がＲＲＣメッセージによって遅く変更されることを意味し、前記動的属性は、前記ＴＦ情報がＴＴＩまたは無線フレーム単位に基づいて速く変更されることを意味する。この場合、前記動的属性は、伝送フォーマット組み合わせ指示子（Ｔｒａｎｓｐｏｒｔ  Ｆｏｒｍａｔ  Ｃｏｍｂｉｎａｔｉｏｎ  Ｉｎｄｉｃａｔｏｒ；以下、ＴＦＣＩという。）を通して伝送される。前記送信側は、前記ＴＦＣＩを物理チャネルの制御フィールドを通して受信側に伝送する。
【００３１】
前記ＴＦ情報の代表的な動的属性としては、伝送ブロックの大きさ及び伝送ブロック集合の大きさがある。ここで、伝送ブロック集合は、一つのＴＴＩに伝送される伝送ブロックの全体集合と定義される。一つの伝送ブロックは、一つのＭＡＣ  ＳＤＵ（Ｓｅｒｖｉｃｅ  Ｄａｔａ  Ｕｎｉｔ）及び一つのＭＡＣヘッダーから構成される一つのＭＡＣ  ＰＤＵ（Ｐｒｏｔｏｃｏｌ  Ｄａｔａ  Ｕｎｉｔ）と定義される。一つのＴＴＩの間に一つ以上の伝送ブロックが伝達されるが、このとき、同一のＴＴＩの間に伝送される各伝送ブロックの大きさは、全て同一である。したがって、伝送ブロック集合の大きさは、伝送ブロックの大きさの倍数である。
【００３２】
ＲＲＣは、一つの伝送チャネルを通して伝送可能な伝送ブロックの大きさ値の集合を設定する。このような一つの伝送チャネルの各伝送ブロックの集合は、ＴＦＳ（Ｔｒａｎｓｐｏｒｔ  Ｆｏｒｍａｔ  Ｓｅｔ）という。また、ＲＲＣは、二つ以上の伝送チャネルが一つの物理チャネルにマッピングされて伝送される場合、その物理チャネルを通して同一の伝送区間に同時に伝送される前記各伝送チャネルの伝送ブロックの組み合わせ集合を設定する。このような一つの物理チャネルにマッピングされる二つ以上の伝送チャネルの各伝送ブロックの組み合わせ（Ｔｒａｎｓｐｏｒｔ  Ｆｏｒｍａｔ  Ｃｏｍｂｉｎａｔｉｏｎ；以下、ＴＦＣという。）の集合は、ＴＦＣＳ（Ｔｒａｎｓｐｏｒｔ  Ｆｏｒｍａｔ  Ｃｏｍｂｉｎａｔｉｏｎ  Ｓｅｔ）という。ＲＮＣは、前記物理チャネルに対するＴＦＣＳ情報を送信側と受信側に伝送する。このとき、ＲＮＣは、ＴＦＣＳ情報を直接伝送せずに、ＴＦＣＳ情報を変換伝送フォーマット組み合わせ（Ｃａｌｃｕｌａｔｅｄ  Ｔｒａｎｓｐｏｒｔ  Ｆｏｒｍａｔ  Ｃｏｍｂｉｎａｔｉｏｎ；以下、ＣＴＦＣという。）情報に変換して送信側と受信側に伝送する。
【００３３】
表１は、三個の伝送チャネルが一つの物理チャネルにマッピングされる場合、各伝送チャネルごとに構成されるＴＦＳの例を示す。
【００３４】
【表１】
2008527783.tif 000003
表１に示すように、第１伝送チャネルで可能な伝送ブロックの大きさは、０ビット、３９ビット、８１ビットで、第２伝送チャネルで可能な伝送ブロックの大きさは、０ビット、５２ビット、１０３ビットで、第３伝送チャネルで可能な伝送ブロックの大きさは、６０ビットである。このとき、可能なＴＦＳは、表１において‘ＮｘＳ’で表示される。ここで、‘Ｎ’は、一つのＴＴＩの間に伝送されるデータブロックの個数を示し、‘Ｓ’は、伝送されるデータブロックのビット大きさを示す。
【００３５】
表１の例において、第１伝送チャネルのＴＦＳは３個のＴＦ（ＴＦ０、ＴＦ１、ＴＦ２）で構成され、第２伝送チャネルのＴＦＳも３個のＴＦで構成され、第３伝送チャネルのＴＦＳは２個のＴＦで構成される。したがって、ＴＦＣＳは、最大１８個（３ｘ３ｘ２＝１８）の組み合わせで構成されるが、ほとんどは、最大個数の組み合わせより小さい個数の組み合わせで構成される。表１の例において、ＴＦＣＳは、８個の組み合わせ、すなわち８個のＴＦＣで構成されるので、残りの組み合わせは用いられない。
【００３６】
表２は、三個の伝送チャネルにおけるＴＦＣＳの一例を示す。
【００３７】
【表２】
2008527783.tif 000004
表３は、ＴＦＣＳ、ＣＴＦＣ及びＴＦＣＩの間のマッピング関係を示す。
【００３８】
【表３】
2008527783.tif 000005
表３に示すように、特定のＴＦＣは、一定の公式によってＣＴＦＣという値に変換され、特定のＣＴＦＣ値が特定のＴＦＣにマッピングされる。したがって、受信側は、ＣＴＦＣ情報を受信してＴＦＣ値を復元することができる。変換されたＣＴＦＣ情報は、ＣＴＦＣ値のシーケンスで、表３の例では、｛０、３、６、９、１２、１５、１、２｝シーケンスがＣＴＦＣ情報に該当する。表３に示すように、ＵＥは、前記｛０、３、６、９、１２、１５、１、２｝シーケンスの順序にしたがってＴＦＣＩ値とＣＴＦＣをマッピングさせる。
【００３９】
表３に示すように、送信側は、ＣＴＦＣ情報からＴＦＣＳとＴＦＣＩとの間のマッピング関係を把握し、ＴＴＩ単位でデータを伝送するときごとに、該当のＴＦＣに合うＴＦＣＩを一緒に伝送する。一方、受信側は、ＣＴＦＣ情報を用いて、ＴＦＣＳから前記受信したＴＦＣＩに該当するＴＦＣを探し出し、そのＴＦＣに対応して一緒に伝送されるデータを受信する。
【００４０】
送信側と受信側は、ＣＴＦＣ情報からＴＦＣＳ情報とＴＦＣＩとの間のマッピング関係を探す。したがって、送信側と受信側は、ＣＴＦＣ情報を受信することで、ＴＦＣＳ情報とＴＦＣＩとの間のマッピング関係を知ることができる。しかし、ＣＴＦＣ情報なしにも前記マッピング関係を類推できる場合は、ＣＴＦＣを送受信する必要がない。例えば、ＭＢＭＳのソフト結合の場合、一つのＴＴＩには一つの伝送チャネルに対する伝送ブロックのみが伝送される。したがって、受信側は、ＣＴＦＣ情報なしにＴＦＣＳ情報とＴＦＣＩとの間のマッピング関係を容易に把握することもできる。
【００４１】
送信側または受信側が、必ず外部から受信したＣＴＦＣ情報を通してのみマッピング関係を把握する場合は、ＣＴＦＣ情報を知らせるためのＲＲＣメッセージの情報量が増加する。ＣＴＦＣ情報を受信できない場合、ＴＦＣＳ情報とＴＦＣＩとの間のマッピング関係を把握できないので、データを受信できないこともある。
【００４２】
したがって、ＵＥが前記ＴＦＳ情報から前記ＣＴＦＣ情報を内部的に構成し、この構成されたＣＴＦＣ情報を用いると、マルチキャストまたは放送サービスのデータブロックを一層効率的に受信することができる。
【００４３】
本発明に係るＵＥのデータブロック受信方式は、一つ以上のデータブロック大きさの組み合わせ番号と、その組み合わせ番号に該当するデータブロック大きさの組み合わせ情報を用いてデータブロックを受信するＵＥにおいて、ＵＥは、ダウンリンク物理チャネルに多重化される各チャネルに対するデータブロック大きさ情報を受信し、前記データブロック大きさ情報から前記データブロック大きさの組み合わせ情報を内部的に構成する。そして、組み合わせ番号とデータブロックを受信すると、ＵＥは、前記構成した組み合わせ情報を用いて、前記受信した組み合わせ番号に対応する組み合わせを探し出し、多重化されるチャネルから前記データブロックを復元することで、マルチキャストまたは放送サービスのデータブロックを受信する。
【００４４】
内部的に構成される組み合わせ情報は、前記データブロックを伝送しない場合の前記全体的に多重化されたチャネルに対応する組み合わせ、及び前記データブロックを伝送する場合の前記多重化された各チャネルから一つのチャネルのみがデータブロックを伝送する組み合わせを含む。この場合、前記組み合わせ情報は、前記組み合わせ情報が一つの伝送区間で各チャネルを通して伝送されるように、全てのデータブロック大きさを含む方法で構成される。
【００４５】
一方、前記データブロックは、伝送チャネルの伝送ブロックで、データブロック大きさは、伝送ブロックの大きさである。前記データブロック大きさの組み合わせ番号はＴＦＣＩで、データブロック大きさの組み合わせ情報はＴＦＣＳである。前記データブロックは、マルチキャストまたは放送サービスのデータブロックである。前記データブロックは、論理チャネルＭＴＣＨ、伝送チャネルＦＡＣＨ及び物理チャネルＳＣＣＰＣＨを通して伝送される。二つ以上のセルは、同一のデータブロックを互いに異なる物理チャネルを通して同時に伝送し、ＵＥは、前記各セルから同一のサービスを伝送する各物理チャネルを結合してデータブロックを受信する。
【００４６】
ＵＥが内部的に構成する組み合わせ情報は、デフォルトＴＦＣＳを意味する。デフォルトＴＦＣＳは、一つの物理チャネルにマッピングされる各伝送チャネルに対して、次のような伝送ブロック大きさの組み合わせ、すなわち、各ＴＦＣを含む。
【００４７】
１．ＴＦＣの全てが伝送ブロックを伝送しないＴＦＣ。
【００４８】
２．ａ１、ａ２、…、ａＮのうち一つのみが伝送ブロックを伝送し、残りは伝送ブロックを伝送しないＴＦＣ
ここで、ＴＦＣは、（ａ１、ａ２、…、ａＮ）で構成され、このとき‘ａＩ’は、第Ｉ番目の伝送チャネルに対するＴＦ、すなわち、伝送ブロック大きさと伝送ブロック集合大きさをいう。Ｎは、一つの物理チャネルにマッピングされる伝送チャネルの数である。
【００４９】
前記デフォルトＴＦＣＳは、前記各伝送チャネルが伝送できる各ＴＦごとにＴＦＣを構成する。
【００５０】
【表４】
2008527783.tif 000006
表４は、ＴＦＣＳデフォルトの構成フォーマットの一例を示す。ＣＴＦＣ情報がＲＮＣから受信されない場合、伝送側または受信側は、前記ＴＦＣＳデフォルトを用いて前記ＣＴＦＣ情報を取り替える。ダウンリンク伝送の場合、前記伝送側はＮｏｄｅ−Ｂで、受信側はＵＥである。アップリンク伝送の場合、前記伝送側はＵＥで、受信側はＮｏｄｅ−Ｂである。そして、ＭＢＭＳデータ伝送は、前記ダウンリンク伝送に対応する。
【００５１】
表４における（ＴＦｉ、ＴＦｊ、…ＴＦｋ）の意味は、次の通りである。ＴＦｉは、１番目の伝送チャネルの伝送フォーマットで、ＴＦｊは２番目の伝送チャネルの伝送フォーマットで、ＴＦｋは、最後の伝送チャネルの伝送フォーマットである。前記各伝送チャネルは、全て同一の物理チャネルにマッピングされ、同一の物理チャネルにマッピングされる伝送チャネルの数がｎ個である場合、‘（）’内のＴＦ項目数はｎ個になる。
【００５２】
表４において、ＴＦ０は、０ビットの伝送ブロック大きさに該当する伝送フォーマットを意味し、ＴＦｍａｘは、該当の伝送チャネルにおいて最も大きな伝送ブロック大きさに該当する伝送フォーマットを意味する。送信側または受信側は、ＲＮＣが知らせる物理チャネルにマッピングされる各伝送チャネルの数ｎと、各伝送チャネルに対するＴＦＳ情報（ＴＦ０、ＴＦ１、…、ＴＦｍａｘ）を通して前記デフォルトＴＦＣＳを構成する。
【００５３】
好ましくは、ＲＮＣが前記物理チャネルのＣＴＦＣ情報を知らせない場合に、送信側または受信側はデフォルトＴＦＣＳを構成する。デフォルトＴＦＣＳの１番目のＴＦＣは、各伝送チャネルに対するＴＦ０の組み合わせで構成される。２番目のＴＦＣは、１番目の伝送チャネルに対してＴＦ１で、残りの伝送チャネルに対してＴＦ０である組み合わせで構成される。３番目のＴＦＣは、１番目の伝送チャネルに対してＴＦ２で、残りの伝送チャネルに対してＴＦ０である組み合わせで構成される。
【００５４】
送信側または受信側は、１番目の伝送チャネルに対してＴＦｍａｘになるときまで、残りの各伝送チャネルがＴＦ０になるように各ＴＦＣを構成する。そして、２番目の伝送チャネルに対してＴＦ１からＴＦｍａｘになるときまで、残りの各伝送チャネルがＴＦ０になるように各ＴＦＣを構成する。そして、送信側または受信側は、最後の伝送チャネルに対してＴＦ１からＴＦｍａｘになるときまで各ＴＦＣを構成する。
【００５５】
送信側または受信側は、表４に示した規則にしたがってＴＦＣを配列し、その配列順序にしたがってＴＦＣＩ値をマッピングさせる。このような方式を通して構成されたデフォルトＴＦＣＳによって、送信側は、送信するデータのＴＦＣに合うＴＦＣＩ値を選択して伝送する。受信側は、デフォルトＴＦＣＳから前記受信したＴＦＣＩに合うＴＦＣを選択し、データを受信する。ＭＢＭＳデフォルトＴＦＣＳは、主に、ソフト結合を通して二つ以上のセルからＭＢＭＳデータを受信する場合に適用される。
【００５６】
図５は、ＵＥでのＭＢＭＳデータ受信過程の一実施例を示したフローチャートである。図５に示すように、ＵＥは、ＭＢＭＳデータを受信するために、ＭＣＣＨを通してＭＢＭＳ制御情報を受信する（Ｓ５１）。ＵＥは、前記制御情報にＣＴＦＣ情報が含まれていないか、または、デフォルトＴＦＣＳの使用に対する命令があるかどうかを検査する（Ｓ５２）。検査の結果、前記制御情報にＣＴＦＣ情報が含まれてないか、または、デフォルトＴＦＣＳの使用に対する命令がある場合、ＵＥは、前記受信されたＭＢＭＳ制御情報によって、物理チャネルにマッピングされる各伝送チャネルの数及び各伝送チャネルに対するＴＦＳ情報を用いてデフォルトＴＦＣＳを構成する（Ｓ５３）。その後、構成されたＴＦＣＳを用いてＭＢＭＳデータを受信する（Ｓ５５）。
【００５７】
Ｎｏｄｅ―Ｂから提供されたＭＢＭＳ制御情報にＣＴＦＣ情報が含まれている場合、このＣＴＦＣ情報を用いてＴＦＣＳを構成し（Ｓ５４）、この構成されたＴＦＣＳを用いてデータを受信する（Ｓ５５）。前記ＭＢＭＳ制御情報は、サービングセルまたは隣接セルのポイント・ツー・マルチポイント無線ベアラー情報メッセージを含む。
【００５８】
図６は、本発明の一実施例に係るＵＥとして上述した、無線通信装置のブロックダイアグラムである。図６に示すように、本発明の一実施例に係る無線通信装置は、アンテナ６１、ＲＦ（Ｒａｄｉｏ  Ｆｒｅｑｕｅｎｃｙ）ユニット６２、プロセッサユニット６３、及びメモリユニット６４を含む。本発明の一実施例に係る無線通信装置は、特定の情報を画面に表示するディスプレイユニット６５、使用者によって信号が入力されるキーパッドユニット６６、及び音声信号を出力するスピーカーユニット６７をさらに含む。
【００５９】
アンテナユニット６１及びＲＦユニット６２を通して受信された信号は、一つの物理チャネルに多重化された少なくとも一つのデータブロック、前記データブロックの大きさ情報、データブロック大きさ組み合わせ情報のテーブルのうちデータブロック大きさ組み合わせに相応するインデックス情報、及びデータブロック伝送のための制御情報を含む。プロセッサユニット（すなわち、信号処理ユニット）６３では、前記受信された制御情報を用いて、データブロック大きさの組み合わせ情報を有するテーブルを内部的に構成する必要性があるのかどうかを検査する。その必要性が認定される場合、データブロック大きさの組み合わせ情報を有するテーブルを内部的に構成する。また、インデックスに相応するデータブロック大きさ組み合わせ情報を用いて、前記受信された少なくとも一つのデータブロックをデコーディングする。
【００６０】
上述した本発明に係る各実施例は、セルラー移動通信網に基づいて説明された。しかし、本発明の技術的事項は、セルラー移動通信網に限定されるものでなく、個人携帯情報端末機（Ｐｅｒｓｏｎａｌ  Ｄｉｇｉｔａｌ  Ａｓｓｉｓｔａｎｔ；ＰＤＡ）または無線通信機能を搭載したノートブックなどの無線通信システムに適用することができる。また、本発明を記述するときに用いた用語は、ＵＭＴＳなどの無線通信システムの範囲に限定されない。また、本発明は、ＴＤＭＡ、ＣＤＭＡ、ＦＤＭＡなどの他の無線インターフェース及び物理階層を用いる無線通信システムにも適用可能である。
【００６１】
さらに、本発明の技術的思想は、ソフトウェア、ファームウエア、ハードウェアまたはそれらの組み合わせの形態で具現することができる。すなわち、本発明の技術的思想は、コードの形態でチップ及びＡＳＩＣなどのハードウェアロジックを用いて具現されるか、または、コンピュータプログラミング言語を用いてコンピュータプロセッサで判読可能なハードディスク、フロッピー（登録商標）ディスク、光ストレージ、ＲＯＭ及びＲＡＭなどの保存媒体に保存される。
【００６２】
したがって、本発明は、分割ＣＴＦＣ情報を受信せずに、前記ＣＴＦＣ情報を内部的に構成することで、前記各データブロックの受信を容易にする。
【００６３】
本発明が上記の思想や領域から逸脱しない範囲で多様に変形および変化可能であることは、当業者にとって明らかである。したがって、本発明は、添付の特許請求の範囲及びその均等範囲で提供された前記変形と変化を含む。
【図面の簡単な説明】
【００６４】
【図１】ＵＭＴＳの網構造に対するブロックダイアグラムである。
【図２】一つのＵＥとＵＴＲＡＮとの間の無線インターフェースプロトコルの階層構造を示すダイアグラムである。
【図３】ＭＢＭＳのためのチャネルマッピングの一実施例を示した説明図である。
【図４】ＭＣＣＨ情報の伝送方法を説明するためのダイアグラムである。
【図５】ＵＥでのＭＢＭＳデータ受信過程の一実施例を示したフローチャートである。
【図６】本発明の一実施例に係る無線通信装置に対するブロックダイアグラムである。
【符号の説明】
【００６５】
６２  ＲＦユニット
６３  プロセッサユニット
６４  メモリユニット
６５  ディスプレイユニット
６６  キーパッドユニット
【図１】
2008527783.tif 000007
【図２】
2008527783.tif 000008
【図３】
2008527783.tif 000009
【図４】
2008527783.tif 000010
【図５】
2008527783.tif 000011
【図６】
2008527783.tif 000012
【国際調査報告】
2008527783.tif 000013
2008527783.tif 000014
2008527783.tif 000015